(57)【要約】【課題】搬送路の一部が少なくとも１つの給紙トレイによって画定される画像形成装置において給紙トレイに用紙切れが発生した場合に、ジャムの発生を抑制しつつ、画像記録中断後に自動的に画像記録を再開する。【解決手段】、記録指令で指定された全てのトレイが用紙切れである場合に、画像の記録を中断する（Ｓ９）。その後、指定されたトレイのうち最も早く着脱が検知されたトレイが第３給紙トレイである場合（Ｓ３：ＹＥＳ）、着脱の検知から待機時間Ｔ３経過後に第３給紙トレイから給紙を行うことで画像の記録を再開する（Ｓ３５）。また、中断後に指定されたトレイのうち最も早く着脱が検知されたトレイが第２給紙トレイである場合（Ｓ２５：ＹＥＳ）、着脱の検知から待機時間Ｔ３より長い待機時間Ｔ２以内に第３給紙トレイの着脱が検知されなければ、第２給紙トレイから給紙を行うことで画像の記録を再開する（Ｓ２９）。【選択図】図３
2020055125.tif 000002
【特許請求の範囲】
【請求項１】
筐体と、
前記筐体に対してそれぞれ着脱可能であり、記録媒体を支持するための支持面をそれぞれ有する少なくとも２つの着脱トレイを含む給紙部と、
前記筐体内に配置されており、給紙を行う一以上の前記着脱トレイの指定を含む記録指令に基づいて、前記給紙部から供給された記録媒体に画像を記録する画像記録部と、
各着脱トレイに支持された記録媒体を前記画像記録部に搬送するための搬送路を構成する搬送機構であって、前記搬送路において前記少なくとも２つの着脱トレイのうちの１つである第１トレイから前記画像記録部までの部分が、前記少なくとも２つの着脱トレイのうち前記第１トレイを除く１つである第２トレイによって画定された部分を含むように構成された搬送機構と、
前記少なくとも２つの着脱トレイの前記筐体に対する取り外し及び装着をそれぞれ検知可能な着脱検知部と、
制御部とを備えた画像形成装置であって、
前記制御部は、
前記記録指令によって指定された前記一以上の着脱トレイに支持された記録媒体が無くなった場合に、前記画像記録部による画像の記録を中断する中断処理と、
（ａ）前記中断処理が実行された後、前記記録指令によって指定された前記一以上の着脱トレイのうちで前記着脱検知部による取り外し及び装着の検知が最も早いのが前記第２トレイである場合には、当該検知から第１所定時間経過後に、前記第２トレイから給紙を行うことで前記画像記録部による画像の記録を再開し、（ｂ）前記中断処理が実行された後、前記記録指令によって指定された前記一以上の着脱トレイのうちで前記着脱検知部による取り外し及び装着の検知が最も早いのが前記第１トレイである場合には、前記第１所定時間よりも長い第２所定時間内に前記第２トレイの取り外しが検知されなければ、前記第１トレイから給紙を行うことで前記画像記録部による画像の記録を再開する再開処理とを実行することを特徴とする画像形成装置。
【請求項２】
前記制御部は、
前記再開処理において、前記記録指令によって前記第１トレイ及び前記第２トレイが指定されているときには、前記記録指令によって前記第１トレイが指定されており且つ前記第２トレイが指定されていないときよりも、前記第２所定時間を長くすることを特徴とする請求項１に記載の画像形成装置。
【請求項３】
前記第２トレイの前記支持面に支持される記録媒体の有無を検知する第１媒体検知部をさらに備えており、
前記制御部は、
前記記録指令によって指定された前記一以上の着脱トレイのうちで前記着脱検知部による取り外し及び装着の検知が最も早いのが前記第１トレイである場合には、前記第２媒体検知部による検知に基づいて、前記第２トレイの前記支持面に記録媒体が支持されているか否かを判断する媒体有無判断処理をさらに実行し、
前記再開処理において、前記媒体有無判断処理において前記第２トレイの前記支持面に記録媒体が支持されていると判断されたときは、前記媒体有無判断処理において前記第２トレイの前記支持面に記録媒体が支持されていないと判断されたときよりも、前記第２所定時間を短くすることを特徴とする請求項１又は２に記載の画像形成装置。
【請求項４】
前記制御部は、
前記第２トレイの前記支持面によって支持される記録媒体の種類が前記第１トレイの前記支持面によって支持される記録媒体の種類と同じであるか否かを判断する媒体判別処理をさらに実行し、
前記再開処理において、前記媒体有無判断処理において前記第２トレイの前記支持面に記録媒体が支持されていないと判断された場合、前記第２トレイの前記支持面によって支持される記録媒体の種類が前記第１トレイの前記支持面によって支持される記録媒体の種類と同じであると判断されなかったときは、同じであると判断されたときよりも、前記第２所定時間を短くすることを特徴とする請求項３に記載の画像形成装置。
【請求項５】
前記給紙部は、３つ以上の前記着脱トレイを含んでおり、
前記搬送路において前記第１トレイから前記画像記録部までの部分が、前記第２トレイによって画定される部分と、前記３つ以上の着脱トレイのうち前記第１及び第２トレイを除く１つである第３トレイによって画定される部分とを含むように構成され、
前記搬送路において前記第２トレイから前記画像記録部までの部分が、前記第３トレイによって画定される部分を含むように構成され、
前記再開処理において、（ａ）前記中断処理が実行された後、前記記録指令によって指定された前記一以上の着脱トレイのうちで前記着脱検知部による取り外し及び装着の検知が最も早いのが前記第３トレイである場合には、当該検知から前記第１所定時間よりも短い第３所定時間経過後に、前記第３トレイから給紙を行うことで前記画像記録部による画像の記録を再開し、（ｂ）前記中断処理が実行された後、前記記録指令によって指定された前記一以上の着脱トレイのうちで前記着脱検知部による取り外し及び装着の検知が最も早いのが前記第２トレイである場合には、前記第１所定時間内に前記第３トレイの取り外しが検知されなければ、前記第２トレイから給紙を行うことで前記画像記録部による画像の記録を再開し、（ｃ）前記中断処理が実行された後、前記記録指令によって指定された前記一以上の着脱トレイのうちで前記着脱検知部による取り外し及び装着の検知が最も早いのが前記第１トレイである場合には、前記第２所定時間内に前記第２トレイ又は前記第３トレイの取り外しが検知されなければ、前記第１トレイから給紙を行うことで前記画像記録部による画像の記録を再開することを特徴とする請求項１〜４のいずれか１項に記載の画像形成装置。
【請求項６】
前記３つ以上の着脱トレイについて、前記画像記録部に記録媒体を給紙する優先順位を記憶する記憶部をさらに備えていることを特徴とする５に記載の画像形成装置。
【請求項７】
前記記憶部が前記第１トレイに前記第２トレイよりも高い優先順位を記憶しており、
前記制御部は、
前記再開処理において、前記中断処理が実行された後、前記記録指令によって指定された前記一以上の着脱トレイのうちで前記着脱検知部による取り外し及び装着の検知が最も早いのが前記第１トレイである場合であって、前記第２所定時間内に前記第２トレイの取り外し及び装着が検知されたとき、当該検知時点における前記第２所定時間の残り時間と、前記第１所定時間とを比較し、長い方の時間が経過した後に、前記第１トレイから給紙を行うことで前記画像記録部による画像の記録を再開することを特徴とする請求項６に記載の画像形成装置。
【請求項８】
前記給紙部は、前記筐体の背面側に固定されており、記録媒体を支持する支持面を有する背面給紙トレイをさらに含んでおり、
前記背面給紙トレイの前記支持面に支持される記録媒体の有無を検知する第２媒体検知部をさらに備えており、
前記制御部は、
前記再開処理において、前記中断処理が実行された後、前記背面給紙トレイの前記支持面に支持される記録媒体が無い状態から有る状態となったことを前記第２媒体検知部が検知した場合、前記第１所定時間より長い第４所定時間経過後に、前記背面給紙トレイから給紙を行うことで前記画像記録部による画像の記録を再開することを特徴とする請求項１〜７のいずれか１項に記載の画像形成装置。
【請求項９】
ユーザへの報知を行うための報知部をさらに備えており、
前記制御部は、
前記記録指令によって前記第１トレイが指定されており且つ前記第２トレイが指定されていないときには、前記中断処理後に、前記第２トレイを前記筐体から取り外さないようにすべきである旨の報知が行われるように、前記報知部を制御する報知処理をさらに実行することを特徴とする請求項１〜８のいずれか１項に記載の画像形成装置。
【発明の詳細な説明】
【技術分野】
【０００１】
本発明は、筐体に対して着脱可能な着脱トレイを少なくとも２つ備えた画像形成装置に関する。
【背景技術】
【０００２】
特許文献１には、着脱可能な２つのカセット桶（給紙トレイ）と、カセット桶が装着されていることを検出するカセット装着センサと、カセット桶から給紙された用紙に画像を形成する画像形成部と、を備えた画像形成装置が開示されている。この画像形成装置においては、２つの給紙トレイのうち画像形成部に近い方の給紙トレイ（第２トレイ）は、画像形成部から遠い方の給紙トレイ（第１トレイ）と画像形成部との間の搬送路の一部を画定している。
【０００３】
画像形成装置において搬送路でジャムが発生した際には、ユーザは給紙トレイを装置本体から取り外してジャム紙を除去するジャム処理作業を行う必要がある。特許文献１の画像形成装置では、ジャム発生により画像形成処理が中断した際、カセット装着センサで給紙トレイの引き抜き及び再装着を検出したときにジャム処理作業が終了したと判断し、ジャム状態を解除する。すなわち、ユーザによるキー入力等の再開指示を必要とすることなく、画像形成処理を再開することができる。
【先行技術文献】
【特許文献】
【０００４】
【特許文献１】特開２００６−１０３８２９号公報
【発明の概要】
【発明が解決しようとする課題】
【０００５】
搬送路における第１トレイから画像形成部までの部分が第２トレイによって画定された部分を含む画像形成装置において、特許文献１の技術を給紙トレイの用紙切れ時に適用しようとした場合、以下のような問題がある。すなわち、所定種類（例えば「Ａ４」）の用紙を任意の給紙トレイから自動給紙するように設定されている場合、用紙切れがユーザに通知されるのは、所定種類の用紙を収容するすべての給紙トレイが用紙切れになって印字が中断したときである。このとき、ユーザは、用紙切れしたある１つの給紙トレイに続けて別の給紙トレイにも用紙を補充しようとすることがある。したがって、第１トレイの引き抜き及び再装着が検出されると同時に画像形成処理が再開されるようにした場合、もしユーザが第１トレイに用紙を補充した後すぐに第２トレイに用紙を補充しようとして第２トレイを引き抜くと、その後第１トレイから給紙された用紙のジャムが発生する。同様のことは、用紙切れした給紙トレイが１つだけの場合であっても、ユーザが用紙切れした給紙トレイに用紙を補充してから別の給紙トレイに用紙を補充しようとすれば生じる可能性がある。
【０００６】
本発明の目的は、搬送路の一部が少なくとも１つの給紙トレイによって画定される画像形成装置において給紙トレイに用紙切れが発生した場合に、ジャムの発生を抑制しつつ、画像記録中断後に自動的に画像記録を再開することができる画像形成装置を提供することである。
【課題を解決するための手段】
【０００７】
本発明の画像形成装置は、筐体と、前記筐体に対してそれぞれ着脱可能であり、記録媒体を支持するための支持面をそれぞれ有する少なくとも２つの着脱トレイを含む給紙部と、前記筐体内に配置されており、給紙を行う一以上の前記着脱トレイの指定を含む記録指令に基づいて、前記給紙部から供給された記録媒体に画像を記録する画像記録部と、各着脱トレイに支持された記録媒体を前記画像記録部に搬送するための搬送路を構成する搬送機構であって、前記搬送路において前記少なくとも２つの着脱トレイのうちの１つである第１トレイから前記画像記録部までの部分が、前記少なくとも２つの着脱トレイのうち前記第１トレイを除く１つである第２トレイによって画定された部分を含むように構成された搬送機構と、前記少なくとも２つの着脱トレイの前記筐体に対する取り外し及び装着をそれぞれ検知可能な着脱検知部と、制御部とを備えた画像形成装置であって、前記制御部は、前記記録指令によって指定された前記一以上の着脱トレイに支持された記録媒体が無くなった場合に、前記画像記録部による画像の記録を中断する中断処理と、（ａ）前記中断処理が実行された後、前記記録指令によって指定された前記一以上の着脱トレイのうちで前記着脱検知部による取り外し及び装着の検知が最も早いのが前記第２トレイである場合には、当該検知から第１所定時間経過後に、前記第２トレイから給紙を行うことで前記画像記録部による画像の記録を再開し、（ｂ）前記中断処理が実行された後、前記記録指令によって指定された前記一以上の着脱トレイのうちで前記着脱検知部による取り外し及び装着の検知が最も早いのが前記第１トレイである場合には、前記第１所定時間よりも長い第２所定時間内に前記第２トレイの取り外しが検知されなければ、前記第１トレイから給紙を行うことで前記画像記録部による画像の記録を再開する再開処理とを実行する。
【発明の効果】
【０００８】
本発明の画像形成装置では、中断処理が実行された場合、画像記録を再開するための特別な作業を必要とせず、第１又は第２トレイの取り外し及び装着の検知に基づいて画像記録を自動的に再開することができる。また、ユーザは第１トレイへの記録媒体の補充作業を行った後、続けて搬送路の第１トレイから画像形成部までの部分の一部を画定する第２トレイへの記録媒体の補充作業を行う可能性がある。そこで、最初に第１トレイが筐体に対して取り外し及び装着されたことを検知した場合、その後にユーザが第２トレイの取り外し及び装着を行う可能性が高い期間は画像の記録が再開されないように、最初に第２トレイが筐体に対して取り外し及び装着されたことを検知した場合に比べて画像記録を再開するまでの所定時間を長くし、その間に第２トレイが取り外されれば画像記録を再開しないようにすることで、画像記録が再開された後に第２トレイが筐体から取り外されてジャムが発生するのを抑制することができる。
【図面の簡単な説明】
【０００９】
【図１】本発明の一実施形態にかかる複合機のプリンタ装置の内部構造を示す概略側面図である。
【図２】図１に示す複合機の電気的構成を概略的に示すブロック図である。
【図３】図１に示す複合機の制御部での処理手順の一例を示すフローチャートの前半部分である。
【図４】図１に示す複合機の制御部での処理手順の一例を示すフローチャートの後半部分である。
【図５】図３に示す報知処理の処理手順の一例を示すフローチャートである。
【図６】図３に示す第１待機時間設定処理の処理手順の一例を示すフローチャートである。
【図７】図３に示す第２待機時間設定処理の処理手順の一例を示すフローチャートである。
【図８】図３、４に示す処理手順の一変形例を示すフローチャートである。
【図９】図８に示す第３待機時間設定処理の処理手順の一例を示すフローチャートである。
【発明を実施するための形態】
【００１０】
以下、本発明の好適な一実施の形態について、図面を参照しつつ説明する。本実施形態においては、プリント機能、スキャン機能、及びコピー機能を有する、いわゆる複合機１について説明する。以下の説明においては、複合機１が使用可能に設置された状態（図１の状態）を基準として上下方向が定義され、筐体１１の開口１３が設けられている側を手前側（正面）として前後方向が定義され、複合機１を手前側（正面）から見て左右方向が定義される。
【００１１】
プリンタ装置１０は、図１に示すように、第１〜第３給紙トレイ９１、９２、９３、バイパストレイ９４、排出トレイ５、記録部６、搬送部７、及び制御部８などを有する。第１〜第３給紙トレイ９１〜９３、記録部６、搬送部７、及び制御部８は、複合機１の筐体１１内に収容されている。筐体１１内において、上方から記録部６、第３給紙トレイ９３、第２給紙トレイ９２、第１給紙トレイ９１の順で配置されている。なお、図１においては図示を省略しているが、記録部６よりも上方には、スキャナ装置２（図２参照）が配置されている。
【００１２】
第１〜第３給紙トレイ９１〜９３は、いずれも筐体１１の正面に形成された開口１３から前後方向に挿抜可能となっている。なお、第３給紙トレイ９３の前方側の上方には排出トレイ５が配置されており、排出トレイ５は第３給紙トレイ９３と共に移動する。第１〜第３給紙トレイ９１〜９３は、用紙９を支持する支持面９１ａ〜９３ａをそれぞれ有している。バイパストレイ９４は、筐体１１の背面に形成された開口１４を閉塞可能に配置されている。バイパストレイ９４は、用紙９を支持する支持面９４ａを有するベース板９５の下端部が左右方向に延びる軸を中心に回動可能となっている。ベース板９５は、図１に破線で示す起立状態となる位置（起立位置）から、上下方向に対して傾斜した位置（傾斜位置）まで回動する。傾斜位置では、支持面９４ａは回動軸を下方として斜め上方を向く。用紙９を支持させるときには、ベース板９５を傾斜位置とする。
【００１３】
筐体１１には、第１〜第３給紙トレイ９１〜９３の取り外し及び装着をそれぞれ検知可能な着脱センサ２０ａ、２０ｂ、２０ｃが設けられている。着脱センサ２０ａ〜２０ｃとしては、例えば押しボタン式のスイッチを採用することができる。すなわち、第１給紙トレイ９１が筐体１１に装着されている場合には、第１給紙トレイ９１によってスイッチが押され「ＯＮ」状態となり、第１給紙トレイ９１が筐体１１から取り外された場合には、第１給紙トレイ９１によるスイッチの押圧が解除され「ＯＦＦ」状態となる。このようなスイッチのＯＮ/ＯＦＦ状態を検知することで、第１〜第３給紙トレイ９１〜９３の筐体１１に対する取り外し及び装着（着脱）を検知することができる。
【００１４】
第１〜第３給紙トレイ９１〜９３及びバイパストレイ９４には、その支持面９１ａ〜９４ａに支持される用紙９の有無を検知する用紙有無センサ２１ａ、２１ｂ、２１ｃ、２１ｄが設けられている。用紙有無センサ２１ａ〜２１ｄとしては、例えば、発光素子と受光素子とを備えた光反射型のセンサを採用することができる。用紙有無センサ２１ａ〜２１ｄは、支持面９１ａ〜９４ａの検知領域に光を照射した際の反射光量に基づいて、検知領域での用紙９の有無を検知する。
【００１５】
第１〜第３給紙トレイ９１〜９３には、それらの支持面９１ａ〜９３ａに支持される用紙９の種類を検知する用紙種センサ２２ａ、２２ｂ、２２ｃ（図２参照）が設けられている。本実施形においては、用紙種センサ２２ａ〜２２ｃは、支持面９１ａ〜９３ａに支持される用紙９のサイズを検知するものとするが、普通紙、光沢紙、はがきなどの用紙タイプを検知するものであってもよい。用紙種センサ２２ａ〜２２ｃとしては、例えば、支持面９１ａ〜９３ａ内において左右方向と直交する方向にスライド可能であり支持面９１ａ〜９３ａに支持された用紙９の縁に当接する用紙ガイド（不図示）の位置を検知するセンサを採用することができる。また、支持面９１ａ〜９３ａに支持される用紙９の種類をユーザが入力する構成としてもよい。
【００１６】
記録部６は、記録指令に基づいて、第１〜第３給紙トレイ９１〜９３及びバイパストレイ９４のいずれかから供給された用紙９に画像を記録する。本実施形態では、記録部６に送られる記録指令は、給紙を行うトレイの指定を含んでいる。すなわち、例えばＡ４サイズの画像を記録する際には、第１〜第３給紙トレイ９１〜９３及びバイパストレイ９４のうちＡ４サイズの用紙９を支持する一以上のトレイを指定する。以下、記録指令で指定されているトレイを「指定トレイ」と称する。
【００１７】
記録部６は、キャリッジ６１と、記録ヘッド６３とを有している。キャリッジ６１は、左右方向に延設された２つのガイドレール６７ａ、６７ｂによって支持されている。キャリッジ６１は、キャリッジ駆動モータ３１（図２参照）により、２つのガイドレール６７ａ、６７ｂに沿って主走査方向である左右方向に往復移動される。記録ヘッド６３は、キャリッジ６１に搭載されている。記録ヘッド６３は、下面のノズル面６９に設けられたノズル（不図示）からインクを吐出する。
【００１８】
搬送部７は、給紙ローラ５０ａ、５０ｂ、５０ｃ、５０ｄ、中間ローラ対７０、搬送ローラ対７１、排出ローラ対７３、プラテン７５、及びガイド１６〜１９を含む。給紙ローラ５０ａ〜５０ｃは、第１〜第３給紙トレイ９１〜９３に支持された用紙９のうちで最も上に位置する用紙９とそれぞれ接触する。給紙ローラ５０ａ〜５０ｃは、給紙モータ３３ａ〜３３ｃ（図２参照）からの駆動力が付与されて回転し、各第１〜第３給紙トレイ９１〜９３内の用紙９をそれぞれ後方に向かって送り出す。給紙ローラ５０ｄは、給紙モータ３３ｄ（図２参照）からの駆動力が付与されて回転し、バイパストレイ９４内の用紙９を開口１４に向かって送り出す。
【００１９】
中間ローラ対７０は、第３給紙トレイ９３の後方側の上端部近傍に配置されている。搬送ローラ対７１及び排出ローラ対７３は前後方向に記録部６を挟んで配置されており、搬送ローラ対７１は記録部６よりも後方に、排出ローラ対７３は記録部６よりも前方に配置されている。プラテン７５は、記録部６の下方において記録部６のノズル面６９と対向するように配置されている。中間ローラ対７０、搬送ローラ対７１及び排出ローラ対７３は、それぞれ駆動ローラ７０ａ、７１ａ、７３ａと、従動ローラ７０ｂ、７１ｂ、７３ｂと、によって構成される。駆動ローラ７０ａ〜７３ａは、いずれも搬送モータ３５（図２参照）からの駆動力が付与されて回転する。従動ローラ７０ｂ〜７３ｂは、それぞれ駆動ローラ７０ａ〜７３ａの回転に伴って連れ回る。
【００２０】
ガイド１６〜１９は、第１〜第３給紙トレイ９１〜９３、及び、バイパストレイ９４から送り出された用紙９を記録部６に搬送するための搬送路の一部を画定するものである。ガイド１６は、給紙ローラ５０ａによって第１給紙トレイ９１内から後方に向かって送り出された用紙９を上方に案内するものであり、第１給紙トレイ９１の後方側の上端部近傍から上方に第２給紙トレイ９２の近傍まで延びている。ガイド１７は、給紙ローラ５０ｂによって第２給紙トレイ９２内から後方に向かって送り出された用紙９を上方に案内するものであり、第２給紙トレイ９２の後方側の上端部近傍から上方に第３給紙トレイ９３の近傍まで延びている。ガイド１８は、給紙ローラ５０ａによって第３給紙トレイ９３内から後方に向かって送り出された用紙９を記録部６に案内するものであり、中間ローラ対７０の近傍から搬送ローラ対７１の近傍まで延びている。
【００２１】
装着状態の第２給紙トレイ９２の後端面と筐体１１との間は、第１給紙トレイ９１から記録部６までの搬送路の一部を画定している。また、装着状態の第３給紙トレイ９３の後端面と筐体１１との間は、第１及び第２給紙トレイ９１、９２から記録部６までの搬送路の一部を画定している。よって、第２給紙トレイ９２が筐体１１から取り外されていると、第１給紙トレイ９１から送り出された用紙９を記録部６に搬送するための搬送路の一部が画定されない状態となるので、この状態で第１給紙トレイ９１から用紙９を送り出すとジャムが発生するおそれがある。また、第３給紙トレイ９３が筐体１１から取り外されていると、第１及び第２給紙トレイ９１、９２から送り出された用紙９を記録部６に搬送するための搬送路の一部が画定されない状態となるので、この状態で第１給紙トレイ９１又は第２給紙トレイ９２から用紙９を送り出すとジャムが発生するおそれがある。
【００２２】
給紙ローラ５０ａにより第１給紙トレイ９１から後方に送り出された用紙９は、ガイド１６によって上方に案内される。その後、用紙９は、第２給紙トレイ９２の後端面と筐体１１との間、ガイド１７、第３給紙トレイ９３の後端面と筐体１１との間を通って、中間ローラ対７０に挟持される。そして、ガイド１８によって案内されつつ中間ローラ対７０により搬送され、搬送ローラ対７１に挟持される位置に到達する。給紙ローラ５０ｂにより第２給紙トレイ９２から後方に送り出された用紙９は、ガイド１７によって上方に案内される。その後、用紙９は、第３給紙トレイ９３の後端面と筐体１１との間を通って、中間ローラ対７０に挟持される。そして、ガイド１８によって案内されつつ中間ローラ対７０により搬送され、搬送ローラ対７１に挟持される位置に到達する。給紙ローラ５０ｃによって第３給紙トレイ９３から後方に送り出された用紙９は、中間ローラ対７０に挟持される。その後、ガイド１８によって案内されつつ中間ローラ対７０により搬送され、搬送ローラ対７１に挟持される位置に到達する。
【００２３】
ガイド１９は、給紙ローラ５０ｄによりバイパストレイ９４内から開口１４に向かって送り出された用紙９を案内するものであり、開口１４の近傍から搬送ローラ対７１の近傍まで延びている。ガイド１９は、バイパストレイ９４から送り出された用紙９の搬送路を画定している。ガイド１９によって画定される搬送路と、ガイド１８によって画定される搬送路とは、搬送ローラ対７１よりも上流において合流している。給紙ローラ５０ｄによりバイパストレイ９４から送り出された用紙９は、開口１４を介して筐体１１内へと送り込まれる。その後、用紙９は、ガイド１９によって案内され、搬送ローラ対７１に挟持される位置に到達する。
【００２４】
第１〜第３給紙トレイ９１〜９３及びバイパストレイ９４から送り出されて搬送ローラ対７１に挟持された用紙９は、搬送ローラ対７１によって前方に搬送される。搬送ローラ対７１によって前方に搬送された用紙９は、プラテン７５によって支持された状態で、主走査方向に移動する記録ヘッド６３のノズル（不図示）からインクが吐出されて画像が記録される。記録済みの用紙９は、排出ローラ対７３によって前方に搬送されて、排出トレイ５に排出される。
【００２５】
制御部８は、複合機１全体の制御を司るものであり、制御部８には、図２に示すようにプリンタ装置１０のキャリッジ駆動モータ３１、記録ヘッド６３、給紙モータ３３ａ〜３３ｄ、搬送モータ３５、着脱センサ２０ａ〜２０ｃ、用紙有無センサ２１ａ〜２１ｄ、及び、用紙種センサ２２ａ〜２２ｃ等が電気的に接続されている。さらに、制御部８には、タッチパネル２８、及び、スキャナ装置２にかかる機器が接続されている。
【００２６】
制御部８は、図２に示すように、ＣＰＵ（Central Processing Unit）８１、ＲＯＭ（Read Only Memory）８２、ＲＡＭ（Random Access Memory）８３、優先順位記憶装置８４、ＡＳＩＣ（Application Specific Integrated Circuit）８５等を含み、これらが協働して、キャリッジ駆動モータ３１、記録ヘッド６３、給紙モータ３３ａ〜３３ｄ、搬送モータ３５及びタッチパネル２８などの動作を制御する。
【００２７】
優先順位記憶装置８４は、第１〜第３給紙トレイ９１〜９３について、記録部６に給紙する優先順位を記憶する。例えば優先順位が高い順に、第３給紙トレイ９３、第２給紙トレイ９２、第１給紙トレイ９１と記憶されている場合について考える。全てのトレイが指定トレイである場合には、第３給紙トレイ９３に用紙９があれば第３給紙トレイ９３から最初に給紙を行う。そして、第３給紙トレイ９３に用紙９が無く、且つ、第２給紙トレイ９２に用紙９があれば第２給紙トレイ９２から給紙を行う。さらに、第２、３給紙トレイ９２、９３に用紙９が無く、且つ、第１給紙トレイ９１に用紙９があれば第１給紙トレイ９１から給紙を行う。なお、第１〜第３給紙トレイ９１〜９３の中の一部のトレイのみが指定トレイである場合には、指定トレイの中で、優先順位記憶装置８４に記憶されている優先順位に従って用紙９を給紙する。優先順位記憶装置８４の記憶内容は、ユーザによって変更可能であっても、変更不可能であってもよい。
【００２８】
なお、図２では、ＣＰＵ８１及びＡＳＩＣ８５を１つずつ図示しているが、制御部８は、ＣＰＵ８１を１つだけ含み、この１つのＣＰＵ８１が必要な処理を一括して行うものであってもよいし、ＣＰＵ８１を複数含み、これら複数のＣＰＵ８１が必要な処理を分担して行うものであってもよい。また、制御部８は、ＡＳＩＣ８５を１つだけ含み、この１つのＡＳＩＣ８５が必要な処理を一括して行うものであってもよいし、ＡＳＩＣ８５を複数含み、これら複数のＡＳＩＣ８５が必要な処理を分担して行うものであってもよい。
【００２９】
ここで、図３、４を参照しつつ、複合機１で画像を記録する際に制御部８で行われる処理手順の一例について説明する。ここでは、優先順位記憶装置８４に、優先順位が高い順に第３給紙トレイ９３、第２給紙トレイ９２、第１給紙トレイ９１が記憶されているとする。すなわち、筐体１１に対して着脱可能な第１〜第３給紙トレイ９１〜９３については、上方に位置するものほど優先順位が高い。図３、４のフローチャートには示されていないが、制御部８は、用紙有無センサ２１ａ〜２１ｃからの出力信号に基づいて、記録処理中における第１〜第３給紙トレイ９１〜９３のそれぞれの用紙９の有無の状況を検知し、その検知結果をタッチパネル２８に表示する。
【００３０】
まず図３に示すように、記録処理の継続中に、用紙有無センサ２１ａ〜２１ｄの出力信号に基づいて、全ての指定トレイが用紙切れであるか否かの判断を、全ての指定トレイが用紙切れであると判断するまで繰り返し行う（Ｓ９）。全ての指定トレイが用紙切れであると判断した場合は（Ｓ９：ＹＥＳ）、記録部６での画像記録を中断し（Ｓ１０）、後述する報知処理を実行する（Ｓ１１）。
【００３１】
続いて、第１給紙トレイ９１が指定トレイであるか否かを判断する（Ｓ１５）。第１給紙トレイ９１が指定トレイであると判断した場合には（Ｓ１５：ＹＥＳ）、着脱センサ２０ａの出力信号に基づいて、第１給紙トレイ９１の取り外し及び装着（着脱）が検知され、且つ、用紙有無センサ２１ａの出力信号に基づいて、第１給紙トレイ９１に用紙９が有ることが検知されたか否かを判断する（Ｓ１６）。すなわちＳ１６では、第１給紙トレイ９１に用紙補充が行われたか否かを判断する。第１給紙トレイ９１に用紙補充されていないと判断した場合には（Ｓ１６：ＮＯ）、後述するＳ２４に進む。第１給紙トレイ９１に用紙補充されたと判断した場合には（Ｓ１６：ＹＥＳ）、後述する第１待機時間設定処理を実行して待機時間Ｔ１を設定する（Ｓ１７）。ここで、「設定する」とは、導出された待機時間Ｔ１をＲＡＭ８３に記憶させることである。
【００３２】
その後、第２又は第３給紙トレイ９２、９３が取り外されたか否かを判断する（Ｓ１７−１）。第２又は第３給紙トレイ９２、９３が取り外されていないと判断した場合には（Ｓ１７−１：ＮＯ）、後述するＳ２０に進む。一方、第２又は第３給紙トレイ９２、９３が取り外されたと判断した場合には（Ｓ１７−１：ＹＥＳ）、取り外されたと判断したトレイが装着されたか否かの判断を、装着されたと判断するまで繰り返し行う（Ｓ１７−２）。そして、第２又は第３給紙トレイ９２、９３が装着されたと判断した場合には（Ｓ１７−２：ＹＥＳ）、複数トレイ用紙補充フラグを立てる（Ｓ１９）。そして、Ｓ１７で設定された待機時間Ｔ１が経過したか否かを判断する（Ｓ２０）。すなわち、Ｓ１６での用紙補充の検知からの経過時間をカウントし、時間Ｔ１が経過したか否かを判断する。待機時間Ｔ１が経過していないと判断した場合は（Ｓ２０：ＮＯ）、Ｓ１７−１に戻る。
【００３３】
Ｓ２０で待機時間Ｔ１が経過したと判断した場合は（Ｓ２０：ＹＥＳ）、複数トレイ用紙補充フラグが立っているか否かを判断する（Ｓ２１）。複数トレイ用紙補充フラグが立っていないと判断した場合は（Ｓ２１：ＮＯ）、第１給紙トレイ９１からの給紙で画像記録を再開する（Ｓ２２）。複数トレイ用紙補充フラグが立っていると判断した場合は（Ｓ２１：ＹＥＳ）、指定トレイであり、且つ、用紙９を支持しているトレイの中で、最も優先順位の高いトレイからの給紙で画像記録を再開する（Ｓ２３）。すなわち、第２及び第３給紙トレイ９２、９３について、指定トレイであり、且つ、用紙９を支持しているという条件を満たすか否を判断する。そして、最も優先順位が高い第３給紙トレイ９３が条件を満たす場合には第３給紙トレイ９３から、第３給紙トレイ９３が条件を満たさず、且つ、第２給紙トレイ９２が条件を満たす場合には第２給紙トレイ９２から、第２及び第３給紙トレイ９２、９３がいずれも条件を満たさない場合には、第１給紙トレイ９１から給紙を行う。Ｓ２２、Ｓ２３の後は、Ｓ９に戻る。
【００３４】
Ｓ１５において、第１給紙トレイ９１が指定トレイでないと判断した場合は（Ｓ１５：ＮＯ）、第２給紙トレイ９２が指定トレイであるか否かを判断する（Ｓ２４）。第２給紙トレイ９２が指定トレイであると判断した場合は（Ｓ２４：ＹＥＳ）、着脱センサ２０ｂの出力信号に基づいて、第２給紙トレイ９２の取り外し及び装着（着脱）が検知され、且つ、用紙有無センサ２１ｂの出力信号に基づいて、第２給紙トレイ９２に用紙９が有ることが検知されたか否かを判断する（Ｓ２５）。すなわちＳ２５では、第２給紙トレイ９２に用紙補充が行われたか否かを判断する。第２給紙トレイ９２に用紙補充されていないと判断した場合は（Ｓ２５：ＮＯ）、後述するＳ３２に進む。一方、第２給紙トレイ９２に用紙補充されたと判断した場合には（Ｓ２５：ＹＥＳ）、後述する第２待機時間設定処理を実行して待機時間Ｔ２を設定する（Ｓ２６）。なお、第２待機時間設定処理で設定されるＴ２は、第１待機時間設定処理で設定されるＴ１よりも短い。
【００３５】
その後、第３給紙トレイ９３が取り外されたか否かを判断する（Ｓ２７）。第３給紙トレイ９３が取り外されていないと判断した場合は（Ｓ２７：ＮＯ）、Ｓ２６で設定された待機時間Ｔ２が経過したか否かを判断する（Ｓ２８）。つまりＳ２５での用紙補充の検知からの経過時間をカウントし、時間Ｔ２が経過したか否かを判断する。待機時間Ｔ２が経過していないと判断した場合には（Ｓ２８：ＮＯ）、Ｓ２７に戻る。待機時間Ｔ２が経過したと判断した場合は（Ｓ２８：ＹＥＳ）、第２給紙トレイ９２からの給紙で画像記録を再開する（Ｓ２９）。Ｓ２９の後は、Ｓ９に戻る。
【００３６】
Ｓ２７で第３給紙トレイ９３が取り外されたと判断した場合は（Ｓ２７：ＹＥＳ）、第３給紙トレイ９３が装着されたか否かの判断を、装着されたと判断するまで繰り返し行う（Ｓ３０）。第３給紙トレイ９３が装着されたと判断した場合は（Ｓ３０：ＹＥＳ）、指定トレイであり、且つ、用紙９を支持しているトレイの中で、最も優先順位の高いトレイからの給紙で画像記録を再開する（Ｓ３１）。すなわち、第３給紙トレイ９３が、指定トレイであり、且つ、用紙９を支持しているという条件を満たすか否を判断する。そして、最も優先順位が高い第３給紙トレイ９３が条件を満たす場合には第３給紙トレイ９３から、第３給紙トレイ９３が条件を満たさない場合には、第２給紙トレイ９２から給紙を行う。Ｓ３１の後は、Ｓ９に戻る。
【００３７】
Ｓ２４で第２給紙トレイ９２が指定トレイでないと判断した場合は（Ｓ２４：ＮＯ）、第３給紙トレイ９３が指定トレイであるか否かを判断する（Ｓ３２）。第３給紙トレイ９３が指定トレイでないと判断した場合には（Ｓ３２：ＮＯ）後述するＳ３６に進む。そして、第３給紙トレイ９３が指定トレイであると判断した場合は（Ｓ３２：ＹＥＳ）、着脱センサ２０ｃの出力信号に基づいて、第３給紙トレイ９３の取り外し及び装着（着脱）が検知され、且つ、用紙有無センサ２１ｃの出力信号に基づいて、第３給紙トレイ９３に用紙９が有ることが検知されたか否かを判断する（Ｓ３３）。つまりＳ３３では、第３給紙トレイ９３に用紙補充が行われたか否かを判断する。第３給紙トレイ９３に用紙補充がされていないと判断した場合は（Ｓ３３：ＮＯ）、後述するＳ３６に進む。第３給紙トレイ９３に用紙補充がされたと判断した場合は（Ｓ３３：ＹＥＳ）、待機時間ＴをＴ３に設定し、待機時間Ｔ３が経過したか否かの判断を、待機時間Ｔ３が経過したと判断するまで繰り返し行う（Ｓ３４）。つまりＳ３３での用紙補充の検知からの経過時間をカウントし、時間Ｔ３が経過したか否かを判断する。なお、待機時間Ｔ３は後述する待機時間Ｔ２よりも短く、「０」であってもよい。待機時間Ｔ３が経過したと判断した場合は（Ｓ３４：ＹＥＳ）、第３給紙トレイ９３からの給紙で画像記録を再開する（Ｓ３５）。Ｓ３５の後は、Ｓ９に戻る。
【００３８】
図４に示すように、Ｓ３２で第３給紙トレイ９３が指定トレイでないと判断した後、及び、Ｓ３３で第３給紙トレイ９３に用紙補充が行われていないと判断した後は、バイパストレイ９４が指定トレイであるか否かを判断する（Ｓ３６）。バイパストレイ９４が指定トレイでないと判断した場合は（Ｓ３６：ＮＯ）、Ｓ１５に戻る。バイパストレイ９４が指定トレイであると判断した場合は（Ｓ３６：ＹＥＳ）、用紙有無センサ２１ｄの出力信号に基づいて、バイパストレイ９４の用紙９が検知されたか否か、すなわち用紙９が無い状態から有る状態となったか否かを判断する（Ｓ３７）。
【００３９】
Ｓ３７でバイパストレイ９４の用紙９が検知されていないと判断した場合は（Ｓ３７：ＮＯ）、Ｓ１５に戻る。そして、バイパストレイ９４の用紙９が検知されたと判断した場合は（Ｓ３７：ＹＥＳ）、待機時間ＴをＴ４に設定し、待機時間Ｔ４が経過したか否か判断を、待機時間Ｔ４が経過したと判断するまで繰り返し行う（Ｓ３８）。つまり、Ｓ３７での用紙検知からの経過時間をカウントし、待機時間Ｔ４が経過したか否かを判断する。なお、本実施形態では待機時間Ｔ４は、上述の待機時間Ｔ３よりも長い。待機時間Ｔ４は、後述する待機時間Ｔ２、Ｔ１よりも長く設定してもよい。待機時間Ｔ４が経過したと判断した場合には（Ｓ３８：ＹＥＳ）、バイパストレイ９４からの給紙で画像記録を再開する（Ｓ３９）。Ｓ３９の後は、Ｓ９に戻る。
【００４０】
次に図５を参照し、上述のＳ１１（図３）で行われる報知処理について説明する。まず、第１給紙トレイ９１が指定トレイであるか否かを判断する（Ｓ８０）。第１給紙トレイ９１が指定トレイであると判断した場合は（Ｓ８０：ＹＥＳ）、続いて第２給紙トレイ９２が指定トレイであるか否かを判断する（Ｓ８１）。第２給紙トレイ９２が指定トレイであると判断した場合は（Ｓ８１：ＹＥＳ）、さらに第３給紙トレイ９３が指定トレイであるか否かを判断する（Ｓ８２）。第３給紙トレイ９３が指定トレイであると判断した場合、すなわち第１〜第３給紙トレイ９１〜９３が全て指定トレイである場合は（Ｓ８２：ＹＥＳ）、処理を終了する。Ｓ８２で第３給紙トレイ９３が指定トレイでないと判断した場合、すなわち第１及び第２給紙トレイ９１、９２が指定トレイであり、第３給紙トレイ９３が指定トレイでない場合は（Ｓ８２：ＮＯ）、第３給紙トレイ９３の取り外しを禁止する旨を報知するメッセージをタッチパネル２８に表示する（Ｓ８３）。Ｓ８３の後、処理を終了する。
【００４１】
また、Ｓ８０で第１給紙トレイ９１が指定トレイでないと判断した場合は（Ｓ８０：ＮＯ）、第２給紙トレイ９２が指定トレイであるか否かを判断する（Ｓ８４）。第２給紙トレイ９２が指定トレイでないと判断した場合、すなわち第１及び第２給紙トレイ９１、９２が指定トレイではない場合は（Ｓ８４：ＮＯ）、処理を終了する。第２給紙トレイ９２が指定トレイであると判断した場合（Ｓ８４：ＹＥＳ）、Ｓ８２に進む。つまり、その後のＳ８２で、第３給紙トレイ９３が指定トレイであると判断した場合、すなわち第１給紙トレイ９１が指定トレイでなく、第２及び第３給紙トレイ９２、９３が指定トレイである場合は、処理終了する。また、Ｓ８４での判断の後のＳ８２で、第３給紙トレイ９３が指定トレイでないと判断した場合は、すなわち第１及び第３給紙トレイ９１、９３は指定トレイでなく、第２給紙トレイ９２が指定トレイである場合には、Ｓ８３の第３給紙トレイ９３の取り外し禁止の報知を行う。
【００４２】
Ｓ８１で第２給紙トレイ９２が指定トレイでないと判断した場合は（Ｓ８１：ＮＯ）、第３給紙トレイ９３が指定トレイであるか否かを判断する（Ｓ８５）。Ｓ８５で第３給紙トレイ９３が指定トレイであると判断した場合、すなわち第１及び第３給紙トレイ９１、９３が指定トレイであり、第２給紙トレイ９２が指定トレイでない場合は（Ｓ８５：ＹＥＳ）、第２給紙トレイ９２の取り外しを禁止する旨を報知するメッセージをタッチパネル２８に表示する（Ｓ８６）。Ｓ８６の後、処理を終了する。一方、Ｓ８５において、第３給紙トレイ９３が指定トレイでないと判断した場合、すなわち第１給紙トレイ９１が指定トレイであり、第２及び第３給紙トレイ９２、９３が指定トレイでない場合は（Ｓ８５：ＮＯ）、第２及び第３給紙トレイ９２、９３の取り外しを禁止する旨を報知するメッセージをタッチパネル２８に表示する（Ｓ８７）。Ｓ８７の後、処理を終了する。
【００４３】
次に、図６を参照しつつ、上述のＳ１７（図３）で行われる第１待機時間設定処理の詳細について説明する。第１待機時間設定処理は、第１給紙トレイ９１への用紙９の補充が検知された後、画像記録を再開するまでの待機時間Ｔ１を設定するための処理である。
【００４４】
まず、第２給紙トレイ９２が指定トレイであるか否かを判断する（Ｓ４０）。第２給紙トレイ９２が指定トレイであると判断した場合は（Ｓ４０：ＹＥＳ）、Ｔｗ０＝Ｔａ（Ｔａは正の数）と設定し（Ｓ４１）、後述するＳ４３に進む。第２給紙トレイ９２が指定トレイでないと判断した場合は（Ｓ４０：ＮＯ）、Ｔｗ０＝０と設定する（Ｓ４２）。続いて、第３給紙トレイ９３が指定トレイであるか否かを判断する（Ｓ４３）。第３給紙トレイ９３が指定トレイであると判断した場合は（Ｓ４３：ＹＥＳ）、Ｔｗ１＝Ｔｂ（Ｔｂは正の数）と設定し（Ｓ４４）、後述するＳ４６に進む。第３給紙トレイ９３が指定トレイでないと判断した場合は（Ｓ４３：ＮＯ）、Ｔｗ１＝０と設定する（Ｓ４５）。
【００４５】
次に、用紙有無センサ２１ｂからの出力信号に基づいて、第２給紙トレイ９２に用紙９が有るか否かを判断する（Ｓ４６）。第２給紙トレイ９２に用紙９が有ると判断した場合は（Ｓ４６：ＹＥＳ）、用紙有無センサ２１ｃからの出力信号に基づいて、第３給紙トレイ９３に用紙９が有るか否かを判断する（Ｓ４７）。第３給紙トレイ９３に用紙９が有ると判断した場合は（Ｓ４７：ＹＥＳ）、待機時間Ｔ１をＴ１０＋Ｔｗ０＋Ｔｗ１（Ｔ１０は正の数）に設定し（Ｓ４８）、処理を終了する。
【００４６】
一方、第３給紙トレイ９３に用紙９が無いと判断した場合は（Ｓ４７：ＮＯ）、用紙種センサ２２ａ、２２ｃの出力信号に基づいて、第１給紙トレイ９１に支持される用紙９の種類と第３給紙トレイ９３に支持される用紙９の種類とが同じであるか否かを判断する（Ｓ４９）。第１及び第３給紙トレイ９１、９３で用紙９の種類が同じでないと判断した場合は（Ｓ４９：ＮＯ）、待機時間Ｔ１をＴ１１＋Ｔｗ０＋Ｔｗ１（Ｔ１１＞Ｔ１０）に設定し（Ｓ５０）、処理を終了する。第１及び第３給紙トレイ９１、９３で用紙９の種類が同じであると判断した場合は（Ｓ４９：ＹＥＳ）、待機時間Ｔ１をＴ１２＋Ｔｗ０＋Ｔｗ１（Ｔ１２＞Ｔ１１）に設定し（Ｓ５１）、処理を終了する。
【００４７】
またＳ４６で、第２給紙トレイ９２に用紙９が無いと判断した場合は（Ｓ４６：ＮＯ）、用紙種センサ２２ａ、２２ｂの出力信号に基づいて、第１給紙トレイ９１に支持される用紙９の種類と第２給紙トレイ９２に支持される用紙９の種類とが同じであるか否かを判断する（Ｓ５２）。第１及び第２給紙トレイ９１、９２で用紙９の種類が同じであると判断した場合は（Ｓ５２：ＹＥＳ）、Ｔｗ２＝Ｔｃ（Ｔｃは正の数）と設定し（Ｓ５３）、後述するＳ５５に進む。一方、第１及び第２給紙トレイ９１、９２で用紙９の種類が同じでないと判断した場合は（Ｓ５２：ＮＯ）、Ｔｗ２＝０と設定する（Ｓ５４）。
【００４８】
その後、用紙有無センサ２１ｃの出力信号に基づいて、第３給紙トレイ９３に用紙９が有るか否かを判断する（Ｓ５５）。第３給紙トレイ９３に用紙９が無いと判断した場合は（Ｓ５５：ＮＯ）、用紙種センサ２２ａ、２２ｃの出力信号に基づいて、第１給紙トレイ９１に支持される用紙９の種類と第３給紙トレイ９３に支持される用紙９の種類とが同じであるか否かを判断する（Ｓ５６）。第１及び第３給紙トレイ９１、９３で用紙９の種類が同じでないと判断した場合は（Ｓ５６：ＮＯ）、待機時間Ｔ１をＴ１３＋Ｔｗ０＋Ｔｗ１＋Ｔｗ２（Ｔ１３＞Ｔ１２）に設定し（Ｓ５７）、処理を終了する。また、第１及び第３給紙トレイ９１、９３で用紙９の種類が同じであると判断した場合は（Ｓ５６：ＹＥＳ）、待機時間Ｔ１をＴ１４＋Ｔｗ０＋Ｔｗ１＋Ｔｗ２（Ｔ１４＞Ｔ１３）に設定し（Ｓ５８）、処理を終了する。また、Ｓ５５において、第３給紙トレイ９３に用紙９が有ると判断した場合は（Ｓ５５：ＹＥＳ）、待機時間Ｔ１をＴ１１＋Ｔｗ０＋Ｔｗ１＋Ｔｗ２に設定し（Ｓ５９）、処理を終了する。
【００４９】
次いで、図７を参照しつつ、上述のＳ２６（図３）で行われる第２待機時間設定処理の詳細について説明する。第２待機時間設定処理は、第２給紙トレイ９２のへの用紙９の補充が検知された後、画像記録を再開するまでの待機時間Ｔ２を設定するための処理である。
【００５０】
まず、第３給紙トレイ９３が指定トレイであるか否かを判断する（Ｓ６０）。そして、第３給紙トレイ９３が指定トレイであると判断した場合は（Ｓ６０：ＹＥＳ）、Ｔｗ１＝Ｔｂ（Ｔｂは正の数）と設定し（Ｓ６１）、後述するＳ６３に進む。一方、第３給紙トレイ９３が指定トレイでないと判断した場合には（Ｓ６０：ＮＯ）、Ｔｗ１＝０と設定する（Ｓ６２）。続いて、用紙有無センサ２１ｃの出力信号に基づいて、第３給紙トレイ９３に用紙９が有るか否かを判断する（Ｓ６３）。第３給紙トレイ９３に用紙９が有ると判断した場合には（Ｓ６３：ＹＥＳ）、待機時間Ｔ２をＴ２０＋Ｔｗ１（Ｔ２０は正の数）に設定し（Ｓ６４）、処理を終了する。
【００５１】
一方、第３給紙トレイ９３に用紙９が無いと判断した場合には（Ｓ６３：ＮＯ）、用紙種センサ２２ｂ、２２ｃの出力信号に基づいて、第２給紙トレイ９２に支持される用紙９の種類と第３給紙トレイ９３に支持される用紙９の種類とが同じであるか否かを判断する（Ｓ６５）。第２及び第３給紙トレイ９２、９３で用紙９の種類が同じでないと判断した場合には（Ｓ６５：ＮＯ）、待機時間Ｔ２をＴ２１＋Ｔｗ１（Ｔ２１＞Ｔ２０）に設定し（Ｓ６６）、処理を終了する。また、第２及び第３給紙トレイ９２、９３で用紙９の種類が同じであると判断した場合には（Ｓ６５：ＹＥＳ）、待機時間Ｔ２をＴ２２＋Ｔｗ１（Ｔ２２＞Ｔ２１）に設定し（Ｓ６７）、処理を終了する。
【００５２】
以上のように、上述の実施形態の複合機１では、全ての指定トレイが用紙切れである場合に、画像記録を中断する。その後、指定トレイのうち最も早く着脱が検知されたトレイが第３給紙トレイ９３である場合、着脱の検知から待機時間Ｔ３経過後に第３給紙トレイ９３からの給紙で画像記録を再開する。また、中断後に指定トレイのうち最も早く着脱が検知されたトレイが第２給紙トレイ９２である場合、着脱の検知から待機時間Ｔ３より長い待機時間Ｔ２以内に第３給紙トレイ９３の取り外しが検知されなければ、第２給紙トレイ９２からの給紙で画像記録を再開する。また、中断後に指定トレイのうち最も早く着脱が検知されたトレイが第１給紙トレイ９１である場合、着脱の検知から待機時間Ｔ２より長い待機時間Ｔ１以内に第２又は第３給紙トレイ９２、９３の取り外しが検知されなければ、第１給紙トレイ９１からの給紙で画像記録を再開する。したがって、中断処理が実行された場合、画像記録を再開するための特別な作業を必要とせず、第１給紙トレイ９１、第２給紙トレイ９２又は第３給紙トレイ９３の取り外し及び装着の検知に基づいて画像記録を自動的に再開することができる。また、ユーザは第１給紙トレイ９１への用紙９の補充作業を行った後、続けて搬送路の第１給紙トレイ９１から記録部６までの部分の一部を画定する第２又は第３給紙トレイ９２、９３への用紙９の補充作業を行う可能性がある。さらに、ユーザは第２給紙トレイ９２への用紙９の補充作業を行った後、続けて搬送路の第２給紙トレイ９２から記録部６までの部分の一部を画定する第３給紙トレイ９３への用紙９の補充作業を行う可能性がある。そこで、最初に第１給紙トレイ９１又は第２給紙トレイ９２が筐体１１に対して取り外し及び装着されたことを検知した場合、その後にユーザが第２給紙トレイ９２若しくは第３給紙トレイ９３又は第３給紙トレイ９３の取り外し及び装着を行う可能性が高い期間は画像記録が再開されないように、待機時間Ｔ３よりも待機時間Ｔ１及びＴ２を長くし、その間に第２給紙トレイ９２若しくは第３給紙トレイ９３又は第３給紙トレイ９３が取り外されれば第１又は第２給紙トレイ９１、９２からの給紙での画像記録を再開しないようにすることで、画像記録が再開された後に第２給紙トレイ９２若しくは第３給紙トレイ９３又は第３給紙トレイ９３が筐体１１から取り外されてジャムが発生するのを抑制することができる。
【００５３】
また、上述の実施形態の複合機１では、待機時間Ｔ２は、第２及び第３給紙トレイ９２、９３が指定トレイであるときは（図７のＳ６０：ＹＥＳ）、第２給紙トレイ９２が指定トレイであり且つ第３給紙トレイ９３が指定トレイでないとき（図７のＳ６０：ＮＯ）よりも長い。したがって、第３給紙トレイ９３が取り外される可能性が低い場合には待機時間Ｔ２を短くできるので、迅速に画像記録を再開することが可能となる。
【００５４】
また、上述の実施形態の複合機１では、待機時間Ｔ２は、第３給紙トレイ９３が用紙９を支持している場合（図７のＳ６３：ＹＥＳ）、第３給紙トレイ９３が用紙９を支持していない場合（図７のＳ６３：ＮＯ）に比べて短い。第３給紙トレイ９３が用紙９を支持している場合には用紙９を支持していない場合よりも用紙９が補充される可能性が低いので、待機時間Ｔ２を短くすることで迅速に画像記録を再開することが可能となる。
【００５５】
さらに、上述の実施形態の複合機１では、待機時間Ｔ２は、第３給紙トレイ９３が用紙９を支持していない場合、第２及び第３給紙トレイ９２、９３に支持される用紙９の種類が同じでない場合（図７のＳ６５：ＮＯ）は、同じである場合（図７のＳ６５：ＹＥＳ）に比べて短い。第２及び第３給紙トレイ９２、９３に支持される用紙９の種類が異なる場合には同じ場合よりも用紙９が補充される可能性が低いので、待機時間Ｔ２を短くすることで迅速に画像記録を再開することが可能となる。
【００５６】
加えて、上述の実施形態の複合機１では、中断後に指定トレイのうち最も早く着脱が検知されたトレイが第１給紙トレイ９１である場合、着脱検知から待機時間Ｔ２より長い待機時間Ｔ１以内に第２又は第３給紙トレイ９２、９３の取り外しが検知されなければ、第１給紙トレイ９１からの給紙で画像記録を再開する。第１給紙トレイ９１に最初に用紙９が補充された場合、次にユーザが用紙９を補充するのは第２及び第３給紙トレイ９２、９３のどちらともなり得るので、ユーザの作業が煩雑になることを考慮して、第２給紙トレイ９２に最初に用紙９が補充された場合の待機時間Ｔ２よりも待機時間Ｔ１を長くし、ジャムの発生をより効果的に抑制することができるようになる。
【００５７】
さらに、上述の実施形態の複合機１では、第１〜第３給紙トレイ９１〜９３について、記録部６に用紙９を給紙する優先順位を記憶する優先順位記憶装置８４を備えている。したがって、記録指令で指令された一以上のトレイのうちで優先して給紙を行うトレイを指定することができる。
【００５８】
加えて、上述の実施形態の複合機１では、画像記録中断後に、バイパストレイ９４に用紙９が無い状態から有る状態となった場合に、待機時間Ｔ３よりも長い待機時間Ｔ４が経過した後に、バイパストレイ９４からの給紙で画像記録を再開する。したがって、バイパストレイ９４に用紙９の補充が行われた場合でも、自動的に画像記録を再開することができる。さらに、待機時間Ｔ４の間にユーザが用紙９の向きを整えることができるので、給紙精度が向上する。
【００５９】
さらに、上述の実施形態の複合機１では、記録指令で第２給紙トレイ９２が指定され且つ第３給紙トレイ９３が指定されないときは、中断処理後に、第３給紙トレイ９３の取り外しを禁止する旨を報知する（図５のＳ８６）。したがって、ジャムの発生を確実に抑制することができる。
【００６０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００６１】
上述の実施形態においては、着脱が検知されたトレイよりも上方に位置するトレイが指定トレイであるか否か、用紙９が支持されているか否か、着脱が検知されたトレイに支持される用紙９と同じ種類の用紙９が支持されるトレイであるか否か、の３つの条件にもとづいて待機時間Ｔ１、Ｔ２の長さを変える場合について説明したが、待機時間Ｔ１、Ｔ２の設定方法はこれに限定されるものではない。上記３つの条件の一部の条件のみに基づいて待機時間Ｔ１、Ｔ２の長さを変えるようにしてもよいし、待機時間Ｔ１、Ｔ２は固定された長さであってもよい。
【００６２】
また、上述の実施形態では、待機時間Ｔ１、Ｔ２、Ｔ３がそれぞれ異なる場合について説明したが、これに限らず、少なくとも待機時間Ｔ１、Ｔ２が待機時間Ｔ３よりも長ければよい。
【００６３】
さらに、上述の実施形態においては、画像記録を再開する際に、優先順位記憶装置８４に記憶された優先順位の高いトレイから給紙が行われる場合について説明したが、これには限定されない。例えば、中断後に最初に着脱が行われたトレイからの給紙が行われるようにしてもよい。
【００６４】
加えて、上述の実施形態においては、図３のＳ１６で第１給紙トレイ９１に用紙補充されたと判断し、Ｓ１７で第１待機時間設定処理を実行した後、Ｓ１７−１で第２又は第３給紙トレイ９２、９３が取り外されたことが検知された場合も、第２又は第３給紙トレイ９２、９３が取り外されたことが検知されなかった場合も、待機時間Ｔ１が経過した後に画像記録を再開する場合について説明したが、これには限定されない。ここで、制御部８で行われる処理手順の一変形例を図８に示す。図８は、図３に示すフローチャートのＳ１６以降に対応する部分を示す。ここでは、優先順位記憶装置８４に、優先順位が高い順に第１給紙トレイ９１、第２給紙トレイ９２、第３給紙トレイ９３が記憶されているとする。すなわち、筐体１１に対して着脱可能な第１〜第３給紙トレイ９１、９２、９３は、下方に位置するものほど優先順位が高い。
【００６５】
図８に示すように、Ｓ１６で第１給紙トレイ９１に用紙補充されたと判断し、Ｓ１７で第１待機時間設定処理を実行した後、第２給紙トレイ９２が取り外されたか否かを検知する（Ｓ１８−１）。第２給紙トレイ９２が取り外されていないと判断した場合は（Ｓ１８−１：ＮＯ）、第３給紙トレイ９３が取り外されたか否かを検知する（Ｓ１８−３）。第３給紙トレイ９３が取り外されていないと判断した場合は（Ｓ１８−３：ＮＯ）、図３のＳ２０と同様に、待機時間Ｔ１が経過したか否かを判断する（Ｓ２０）。待機時間Ｔ１が経過していないと判断した場合には（Ｓ２０：ＮＯ）、Ｓ１８−１に戻る。一方、待機時間Ｔ１が経過したと判断した場合には（Ｓ２０：ＹＥＳ）、図３のＳ２２と同様に、第１給紙トレイ９１からの給紙で画像記録を再開する（Ｓ２２）。
【００６６】
Ｓ１８−１で第２給紙トレイ９２が取り外されたと判断した場合は（Ｓ１８−１：ＹＥＳ）、第２給紙トレイ９２が装着されたか否かの判断を、装着されたと判断するまで繰り返し行う（Ｓ１８−２）。第２給紙トレイ９２が装着されたと判断した場合には（Ｓ１８−２：ＹＥＳ）、第２給紙トレイ着脱フラグを立てた後（Ｓ１９−１）、Ｓ１９−２に進む。また、Ｓ１８−３において、第３給紙トレイ９３が取り外されたと判断した場合は（Ｓ１８−３：ＹＥＳ）、第３給紙トレイ９３が装着されたか否かの判断を、装着されたと判断するまで繰り返し行う（Ｓ１８−４）。第３給紙トレイ９３が装着されたと判断した場合には（Ｓ１８−４：ＹＥＳ）、Ｓ１９−２に進む。Ｓ１９−２では、図９に示す第３待機時間設定処理を実行し（Ｓ１９−２）、待機時間Ｔ５を設定する。
【００６７】
その後、第２又は第３給紙トレイ９２、９３が取り外されたか否かを判断する（Ｓ１９−３）。第２又は第３給紙トレイ９２、９３が取り外されていないと判断した場合は（Ｓ１９−３：ＮＯ）、後述するＳ２０−１に進む。第２又は第３給紙トレイ９２、９３が取り外されたと判断した場合は（Ｓ１９−３：ＹＥＳ）、取り外されたトレイが装着されたか否かの判断を、装着されたと判断するまで繰り返し行う（Ｓ１９−４）。そして、第２又は第３給紙トレイ９２、９３が装着されたと判断した場合は（Ｓ１９−４：ＹＥＳ）、Ｓ１８−２での第２給紙トレイ９２の装着検知、又は、Ｓ１８−４での第３給紙トレイ９３の装着検知が行われてから、待機時間Ｔ５が経過したか否かを判断する（Ｓ２０−１）。待機時間Ｔ５が経過していないと判断した場合は（Ｓ２０−１：ＮＯ）、Ｓ１９−３に戻る。一方、待機時間Ｔ５が経過したと判断した場合は（Ｓ２０−１：ＹＥＳ）、図３のＳ２２と同様に、第１給紙トレイ９１からの給紙で画像記録を再開する（Ｓ２２）。
【００６８】
続いて、図９を参照しつつ、上述のＳ１９−２（図８）で行われる第３待機時間設定処理の詳細について説明する。第３待機時間設定処理は、第１給紙トレイ９１の着脱が検知された後の待機時間Ｔ１のカウント中に、第２給紙トレイ９２又は第３給紙トレイ９３の着脱が検知され場合に、画像記録を再開するまでの待機時間Ｔ５を設定するための処理である。
【００６９】
まず、図８のＳ１８−２での第２給紙トレイ９２の装着検知時点、又は、Ｓ１８−４での第３給紙トレイ９３の装着検知時点での待機時間Ｔ１の残り時間をＴｒとする（Ｓ７１）。次に、第２給紙トレイ着脱フラグ（図８のＳ１９−１参照）が立っているか否かを判断する（Ｓ７２）。第２給紙トレイ着脱フラグが立っていると判断した場合には（Ｓ７２：ＹＥＳ）、第２待機時間設定処理を実行する（Ｓ７３：詳細は図７参照）。そして、Ｓ７１で決定したＴｒがＳ７３の第２待機時間設定処理で設定されたＴ２よりも大きいか否かを判断する（Ｓ７４）。ＴｒがＴ２よりも大きいと判断した場合には（Ｓ７４：ＹＥＳ）、待機時間Ｔ５をＴｒに設定し（Ｓ７５）、処理を終了する。一方、ＴｒがＴ２よりも大きくないと判断した場合には（Ｓ７４：ＮＯ）、待機時間Ｔ５をＴ２に設定し（Ｓ７６）、処理を終了する。また、第２給紙トレイ着脱フラグが立っていないと判断した場合には（Ｓ７２：ＮＯ）、Ｓ７１で決定したＴｒがＴ３（Ｔ３は図３のＳ３４の待機時間Ｔ３と同じ）よりも大きいか否かを判断する（Ｓ７７）。ＴｒがＴ３よりも大きいと判断した場合には（Ｓ７７：ＹＥＳ）、待機時間Ｔ５をＴｒに設定し（Ｓ７８）、処理を終了する。一方、ＴｒがＴ３よりも大きくないと判断した場合には（Ｓ７７：ＮＯ）、待機時間Ｔ５をＴ３に設定し（Ｓ７９）、処理を終了する。
【００７０】
上述の変形例によると、第１給紙トレイ９１が最も優先順位が高く、中断後に指定トレイのうち第１給紙トレイ９１の着脱が最も早く検知された場合には、画像記録を再開したときに、第１給紙トレイ９１から給紙される。第１給紙トレイ９１から給紙されるときに、第２及び第３給紙トレイ９２、９３が装着されていないとジャムが発生する。したがって、ＴｒとＴ２（又はＴｒとＴ３）のうち長い方を待機時間Ｔ５とすることで、ジャムの発生をより確実に抑制することができる。
【００７１】
また、上述の実施形では、画像記録中断後のバイパストレイ９４への用紙補充により、自動的に画像記録を再開する場合について説明したが、バイパストレイ９４への用紙補充後の画像記録の再開は、ユーザの指示操作により行うようにしてもよい。
【００７２】
さらに、指示トレイでないトレイの取り外しを禁止する旨の報知は、タッチパネル２８への表示でなく、音声で行ってもよい。また、このようなユーザへの報知は行われなくてもよい。
【００７３】
さらに、上述の実施形態では、図３のＳ１７−１で第２又は第３給紙トレイ９２、９３が取り外されたと判断し、Ｓ１７−２で取り外されたトレイが装着されたと判断した後、Ｓ２０で待機時間Ｔ１が経過したか否かの判断を行う場合について説明したが、これには限定されない。すなわち、Ｓ１７−１で最初に第２又は第３給紙トレイ９２、９３が取り外されたと判断し、Ｓ１７−２で取り外されたトレイが装着されたと判断した後、Ｓ２０での判断を行うことなく直ちに画像記録を再開してもよい。
【００７４】
加えて、本発明は、一方のトレイが他方のトレイから記録部６までの搬送路の一部を画定するような少なくとも２つの着脱可能なトレイを備える装置に適用することができる。また、本発明は、単体のプリンタ装置やスキャナ装置などに適用することもできる。
【符号の説明】
【００７５】
１  複合機（画像形成装置）
６  記録部（画像記録部）
８  制御部
１１  筐体
２０ａ、２０ｂ、２０ｃ  着脱センサ（着脱検知部）
９１、９２、９３  第１〜第３給紙トレイ
【図１】
2020055125.tif 000003
【図２】
2020055125.tif 000004
【図３】
2020055125.tif 000005
【図４】
2020055125.tif 000006
【図５】
2020055125.tif 000007
【図６】
2020055125.tif 000008
【図７】
2020055125.tif 000009
【図８】
2020055125.tif 000010
【図９】
2020055125.tif 000011